(57)【要約】      （修正有）【課題】簡易に着脱できる履物を得る。【解決手段】履物の底板１は長円状の皿バネ凸部を上に向けその周囲を丸棒等で縁取ったような構造とし、板状の挟持部２は、足甲の両側を挟み込むように底板縁材から立ち上がり、その先端付近を足甲にフィットするよう内側に湾曲させ、おおまかにはＷ字に近い断面構造を形成させると、履物の底板は、足の踏み込みにより圧縮されながら下方に沈みＷ字両側内幅を狭めて反転し、底板反転後はＷ字両側がその間に足を挟みこむ役目となる。逆に足を抜き出すときは、Ｗ字両側が底板を呼び起こし圧縮頂点後は底板がＷ字両側を初期位置に押し広げる役目となる。挟持部は中央付近に配するか、幾つかに分割した上で各々に隙間を取り全体に配する。これらを備えることで、足で踏むことにより装着でき、つま先立ち状態により脱履できる。【選択図】図４
2014036823.tif 000002
【特許請求の範囲】
【請求項１】
履物の底板は長円状の皿バネ凸部を上に向けその周囲を丸棒等で縁取ったような構造とし、板状の挟持部は、足甲の両側を挟み込むように底板縁材から立ち上がり、その先端付近を足甲にフィットするよう内側に湾曲させ、おおまかにはＷ字に近い断面構造を形成させると、履物の底板は、足の踏み込みにより圧縮されながら下方に沈みＷ字両側内幅を狭めて反転し、底板反転後はＷ字両側がその間に足を挟みこむ役目となる。逆に足を抜き出すときは、Ｗ字両側が底板を呼び起こし圧縮頂点後は底板がＷ字両側を初期位置に押し広げる役目となる。挟持部は中央付近に配するか、幾つかに分割した上で各々に隙間を取り全体に配する。これらを備えることで、足で踏むことにより装着でき、つま先立ち状態により脱履できることを特徴とする簡易着脱履物。
【発明の詳細な説明】
【技術分野】
【０００１】  簡易に着脱できる履物に関するものである。
【背景技術】
【０００２】  簡易に着脱できる履物については、スリッパやサンダル等のように部分的な甲革、甲帯、鼻緒で保持されるものがよく使用されており、前後左右の区別無く履けるもの、粘着させるもの、足指の間に突起を引っ掛けるもの等多数のものが存在する。
【先行技術文献】
【０００３】  多数の文献が存在するが、本発明に該当するものが見当たらず、省略する。
【発明の概要】
【発明が解決しようとする課題】
【０００４】  足指の間に突起を引っ掛けるものは、その使用に熟練を要し、簡単とはいかない。粘着させるものは、装着が簡単である反面、脱ぐときやその扱いに難点がある。スリッパやサンダル等は、歩く動作の流れで足を滑り込ませ、装着が簡単であるが、脱ぐときには、歩く動作の流れのままとはいかず、履物を少し前へ蹴り出すような動作あるいはその場で足踏みするような動作を必要とする。前後左右の区別無く履けるものも同様であり、特に履物中央部のみで保持されるものは、適度な保持力を維持しないと、使用中に履物がずれたり、脱げたりすることになる。
【課題を解決するための手段】
【０００５】  上記課題を解決するために本発明は、足で踏むことにより履物に足を挟持させ、つま先立ち状態により履物の挟持を外すべく、履物中央もしくは全体に挟持部を備えることにした。
【発明の効果】
【０００６】  本発明において、歩く動作の流れで足で踏むことにより履物を装着し、歩く動作の流れのなかで意識的につま先立ち状態をつくることにより履物を脱ぐことができる。使用中、履物は足を挟持しているので、履物がずれたり脱げたりしにくく、前後左右の区別無く履けるものである。
【図面の簡単な説明】
【０００７】
【図１】簡易着脱履物の使用実施例を示す側面図である。
【図２】簡易着脱履物の使用実施例を示す側面図である。
【図３】簡易着脱履物の使用実施例を示す側面図である。
【図４】簡易着脱履物の使用実施例を示す中央付近横断面図である。
【図５】簡易着脱履物の使用実施例を示す中央付近横断面図である。
【図６】簡易着脱履物の実施例を示す平面図である。
【図７】簡易着脱履物の実施例を示す平面図である。
【発明を実施するための形態】
【０００８】  本発明を実施するため、履物の底板は長円状の皿バネ凸部を上に向けその周囲を丸棒等で縁取ったような構造とする。丸棒等で縁取ることにより、挟持部と底板を連動し易くするとともに、脱履時のつま先立ち状態にて履物が大きく足側にたわまないよう底板の剛性を確保する。板状の挟持部は、足甲の両側を挟み込むように底板縁材から立ち上がり、その先端付近を足甲にフィットするよう内側に湾曲させ、おおまかにはＷ字に近い断面構造を形成する。挟持部は中央付近に配するか、幾つかに分割した上で各々に隙間を取り全体に配する。
【０００９】  履物の底板は、足の踏み込みにより圧縮されながら下方に沈みＷ字両側内幅を狭めて反転し、底板反転後はＷ字両側がその間に足を挟みこむ役目となる。逆に足を抜き出すときは、Ｗ字両側が底板を呼び起こし圧縮頂点後は底板がＷ字両側を初期位置に押し広げる役目となる。この間、底板縁材は少し回転しながら、挟持部と底板を連動させる。
【実施例】
【００１０】  使用実施例について図面を参照して説明すると、図１、２、３は順に履物の装着時、使用中、脱履時の様子を表しており、挟持部を中央に配した設定である。【００１１】  図４、５、６、７において、履物の底板１は長円状の皿バネ凸部を上に向けその周囲を丸棒で縁取ったような構造とし、板状の挟持部２は、足甲の両側を挟み込むように底板縁材から立ち上がり、その先端付近を足甲にフィットするよう内側に湾曲させ、おおまかにはＷ字に近い断面構造を形成している。底板１および挟持部２は合成樹脂や合成ゴム等による一体成型であるが、内部に金属板を埋め込み蓄勢力を高めてもよい。図４は装着時および脱履時、図５は使用中の様子を表している。図６は挟持部２を中央に配した設定であり、図７は挟持部２を幾つかに分割した上で各々に隙間を取り全体に配した設定である。
【産業上の利用可能性】
【００１２】  簡易に着脱できることで、履物の利便性を高めることが期待される。
【符号の説明】
【００１３】１  底板  、２  挟持部
【図１】
2014036823.tif 000003
【図２】
2014036823.tif 000004
【図３】
2014036823.tif 000005
【図４】
2014036823.tif 000006
【図５】
2014036823.tif 000007
【図６】
2014036823.tif 000008
【図７】
2014036823.tif 000009
【手続補正書】
【提出日】平成24年10月15日(2012.10.15)
【手続補正１】
【補正対象書類名】明細書
【補正対象項目名】全文
【補正方法】変更
【補正の内容】
【発明の詳細な説明】
【技術分野】
【０００１】
簡易に着脱できる履物に関するものである。
【背景技術】
【０００２】
簡易に着脱できる履物については、スリッパやサンダル等のように部分的な甲革、甲帯、鼻緒で保持されるものがよく使用されており、前後左右の区別無く履けるもの、粘着させるもの、足指の間に突起を引っ掛けるもの等多数のものが存在する。
【先行技術文献】
【特許文献】
【０００３】
【特許文献１】登録実用新案第３０２８０６３号公報
【特許文献２】米国特許出願公開第２００８／０３０１９７４号
【発明の概要】
【発明が解決しようとする課題】
【０００４】
足指の間に突起を引っ掛けるものは、その使用に熟練を要し、簡単とはいかない。粘着させるものは、装着が簡単である反面、脱ぐときやその扱いに難点がある。スリッパやサンダル等は、歩く動作の流れで足を滑り込ませ、装着が簡単であるが、脱ぐときには、歩く動作の流れのままとはいかず、履物を少し前へ蹴り出すような動作あるいはその場で足踏みするような動作を必要とする。前後左右の区別無く履けるものも同様であり、特に履物中央部のみで保持されるものは、適度な保持力を維持しないと、使用中に履物がずれたり、脱げたりすることになる。
【課題を解決するための手段】
【０００５】
上記課題を解決するために本発明は、足で踏むことにより履物に足を挟持させ、つま先立ち状態により履物の挟持を外すべく、履物中央もしくは全体に挟持部を備えることにした。
【発明の効果】
【０００６】
本発明において、歩く動作の流れで足で踏むことにより履物を装着し、歩く動作の流れのなかで意識的につま先立ち状態をつくることにより履物を脱ぐことができる。使用中、履物は足を挟持しているので、履物がずれたり脱げたりしにくく、前後左右の区別無く履けるものである。
【図面の簡単な説明】
【０００７】
【図１】簡易着脱履物の使用実施例を示す側面図である。
【図２】簡易着脱履物の使用実施例を示す側面図である。
【図３】簡易着脱履物の使用実施例を示す側面図である。
【図４】簡易着脱履物の使用実施例を示す中央付近横断面図である。
【図５】簡易着脱履物の使用実施例を示す中央付近横断面図である。
【図６】簡易着脱履物の実施例を示す平面図である。
【図７】簡易着脱履物の実施例を示す平面図である。
【発明を実施するための形態】
【０００８】
本発明を実施するため、履物の底板は長円状の皿バネ凸部を上に向けその周囲を丸棒等で縁取ったような構造とする。丸棒等で縁取ることにより、挟持部と底板を連動し易くするとともに、脱履時のつま先立ち状態にて履物が大きく足側にたわまないよう底板の剛性を確保する。板状の挟持部は、足甲の両側を挟み込むように底板縁材から立ち上がり、その先端付近を足甲にフィットするよう内側に湾曲させ、おおまかにはW字に近い断面構造を形成する。挟持部は中央付近に配するか、幾つかに分割した上で各々に隙間を取り全体に配する。
【０００９】
履物の底板は、足の踏み込みにより圧縮されながら下方に沈みW字両側内幅を狭めて反転し、底板反転後はW字両側がその間に足を挟みこむ役目となる。逆に足を抜き出すときは、W字両側が底板を呼び起こし圧縮頂点後は底板がW字両側を初期位置に押し広げる役目となる。この間、底板縁材は少し回転しながら、挟持部と底板を連動させる。
【実施例】
【００１０】
使用実施例について図面を参照して説明すると、図１、２、３は順に履物の装着時、使用中、脱履時の様子を表しており、挟持部を中央に配した設定である。
【００１１】
図４、５、６、７において、履物の底板１は長円状の皿バネ凸部を上に向けその周囲を丸棒で縁取ったような構造とし、板状の挟持部２は、足甲の両側を挟み込むように底板縁材から立ち上がり、その先端付近を足甲にフィットするよう内側に湾曲させ、おおまかにはW字に近い断面構造を形成している。底板１および挟持部２は合成樹脂や合成ゴム等による一体成型であるが、内部に金属板を埋め込み蓄勢力を高めてもよい。図４は装着時および脱履時、図５は使用中の様子を表している。図６は挟持部２を中央に配した設定であり、図７は挟持部２を幾つかに分割した上で各々に隙間を取り全体に配した設定である。
【産業上の利用可能性】
【００１２】
簡易に着脱できることで、履物の利便性を高めることが期待される。
【符号の説明】
【００１３】
１    底板
２    挟持具
【手続補正２】
【補正対象書類名】特許請求の範囲
【補正対象項目名】全文
【補正方法】変更
【補正の内容】
【特許請求の範囲】
【請求項１】
履物の底板は長円状の皿バネ凸部を上に向けその周囲を丸棒等で縁取ったような構造とし、板状の挟持部は、足甲の両側を挟み込むように底板縁材から立ち上がり、その先端付近を足甲にフィットするよう内側に湾曲させ、おおまかにはW字に近い断面構造を形成させると、履物の底板は、足の踏み込みにより圧縮されながら下方に沈みW字両側内幅を狭めて反転し、底板反転後はW字両側がその間に足を挟みこむ役目となり、逆に足を抜き出すときは、W字両側が底板を呼び起こし圧縮頂点後は底板がW字両側を初期位置に押し広げる役目となるが、挟持部は中央付近に配するか、幾つかに分割した上で各々に隙間を取り全体に配するものとし、これらを備えることで、足で踏むことにより装着でき、つま先立ち状態により脱履できることを特徴とする簡易着脱履物。
【手続補正書】
【提出日】平成24年10月26日(2012.10.26)
【手続補正１】
【補正対象書類名】特許請求の範囲
【補正対象項目名】全文
【補正方法】変更
【補正の内容】
【特許請求の範囲】
【請求項１】
履物の底板は長円状の皿バネ凸部を上に向けその周囲を丸棒等で縁取ったような構造とし、板状の挟持部は、足甲の両側を挟み込むように底板縁材から立ち上がり、その先端付近を足甲にフィットするよう内側に湾曲させ、底板と挟持部とによりおおまかにはW字に近い断面構造を形成させると、履物の底板は、足の踏み込みにより圧縮されながら下方に沈みW字両側内幅を狭めて反転し、底板反転後はW字両側がその間に足を挟みこむ役目となり、逆に足を抜き出すときは、W字両側が底板を呼び起こし圧縮頂点後は底板がW字両側を初期位置に押し広げる役目となるが、挟持部は中央付近に配するか、幾つかに分割した上で各々に隙間を取り全体に配するものとし、これらを備えることで、足で踏むことにより装着でき、つま先立ち状態により脱履できることを特徴とする簡易着脱履物。